(57)【要約】  【課題】  土砂等を荷台に積載する作業を容易に行なうことができて、廃棄場で土砂等を降ろす作業も比較的安全に行うことができる土砂搬送用容器及び土砂搬送用ダンプトラックを提供する。  【解決手段】  土砂搬送用容器１３は上面が開口になるように底板１３ｃと側壁１３ａとを備え、吊上げ装置のワイヤーに着脱可能に連結され得ると共に連結解除後には容器外側に垂れ下がるように設けられた接続部材１７と、荷台の受け具１８に着脱可能に係合される係合部１４とを備える。この土砂搬送用容器が、土砂搬送用ダンプトラック１０の荷台１２に積載されると、係合部１４が受け具１８に着脱可能に係合されて、ダンプトラック１０の荷台１２を傾斜させたときにも、容器１３が荷台から滑り落ちることがないように保持される。【選択図】  図１
2005081850.tif 000002
【特許請求の範囲】
【請求項１】
土砂、石または岩石を搬送する際に使用される容器であって、上面が開口になるように底板と側壁とを備え、吊上げ装置のワイヤーに着脱可能に連結され得ると共に連結解除後には容器外側に垂れ下がるように設けられた接続部材と、ダンプトラックの荷台を傾斜させたときにも容器が荷台から滑り落ちることがないように該荷台の受け具に着脱可能に係合される係合部とを備えることを特徴とする土砂搬送用容器。
【請求項２】
底板から開口の一辺に向けて斜め上方に延びる斜面を備え、少なくともダンプトラックの荷台を傾斜させたときに、該斜面が荷台の底面に当接するように形成されたものである請求項１に記載の土砂搬送用容器。
【請求項３】
土砂、石または岩石を収容するための容器が荷台に着脱可能に設けられたダンプトラックであって、該容器には吊上げ装置のワイヤーに着脱可能に連結され得ると共に連結解除後には前記容器の外側に垂れ下がるように接続部材が設けられ、さらに、前記容器には係合部が設けられる一方で、該係合部が係合する受け具が荷台に設けられ、これら係合部と受け具とは着脱可能且つダンプトラックの荷台を傾斜させたときにも容器が荷台から滑り落ちることが無いように形成されたものである土砂搬送用ダンプトラック。
【請求項４】
前記受け具は、吊上げ装置により前記土砂搬送用容器を上方から吊り下ろしたときに前記係合部を受け入れ得る切欠き部を備え、該切欠き部は、前記係合部が受け入れられた後に配置されると共にダンプトラックの荷台を傾斜させたときに前記係合部が摺動し得る摺動部と、この摺動後に前記係合部が脱落しないように保持される保持部と、前記土砂搬送用容器が少なくとも吊り下ろされる過程で前記係合部を前記摺動部まで導く傾斜部とを備えることを特徴とする請求項３に記載の土砂搬送用ダンプトラック。
【発明の詳細な説明】
【技術分野】
【０００１】
本発明は、土砂を内部に収容して搬送するための容器と、該容器が荷台に積載された土砂搬送用ダンプトラックに関する。
【背景技術】
【０００２】
土砂を所定の場所から他の場所へ搬送することは、多くの建設現場で実施されており、或る場合には建設現場から土砂を除去するために廃棄場まで搬送し、また或る場合には、建設資材としての砕石や土砂を採土場等から施工現場まで搬送している。
例えば、コンクリートダムを建設する際には、堤体内部の土砂、左右両岸の石や岩石、コンクリート表層のレイタンス等を廃棄場まで搬送する必要があり、この搬送作業は、土砂、石または岩石、レイタンス（以下、単に土砂等という）の発生箇所付近で直接的にダンプトラックに積載し、ダムサイト外の廃棄場まで搬送したり、あるいは、コンクリート打設が進んで堤体が高くなると、ダンプトラックの侵入路を設けることが難しくなるため、土砂等はコンクリート搬入に使用されるケーブルクレーン等の揚荷設備で堤体外に搬出する。一般に、土砂等はベッセルと称されている土砂搬送容器に入れられて、ケーブルクレーン等の揚荷設備で堤体外に搬出され、ここでベッセルからダンプトラックの荷台に土砂等を移されるか、あるいは、ベッセルごとダンプトラックの荷台に積載されて廃棄場まで搬送される。前者の方法では、ダンプトラックの荷台上でベッセルを転倒させるために、ワイヤーロープを人力で掛け替えるという危険作業を行なわなければならず、しかも、この積替え作業中や搬送途中に荷こぼれを生じ易いという問題がある。また後者の方法では、廃棄場でベッセルを転倒させるために、別のクレーンが必要になるので設備コストが上昇し、しかも、必ずしも良好な施工効率が得られないという問題がある。
【発明の開示】
【発明が解決しようとする課題】
【０００３】
本発明は、このような従来の問題を解決するものであり、土砂等を荷台に積載する作業を容易に行なうことができて、廃棄場で土砂等を降ろす作業も比較的安全に行うことができる土砂搬送用容器及び土砂搬送用ダンプトラックを提供することを目的とする。
【０００４】
また本発明の他の課題は、土砂搬送用容器を着脱自在に荷台に設置できて、ダンプトラックの荷台を傾斜させたときにも土砂搬送用容器が脱落せずに保持され得る土砂搬送用ダンプトラックを提供することである。
【課題を解決するための手段】
【０００５】
上記課題を解決するために、本発明では、土砂、石または岩石を搬送する際に使用される容器であって、上面が開口になるように底板と側壁とを備え、吊上げ装置のワイヤーに着脱可能に連結され得ると共に連結解除後には容器外側に垂れ下がるように設けられた接続部材と、ダンプトラックの荷台を傾斜させたときにも容器が荷台から滑り落ちることがないように該荷台の受け具に着脱可能に係合される係合部を備えることを特徴とする土砂搬送用容器が提供される。
また本発明では、土砂、石または岩石を収容するための容器が荷台に着脱可能に設けられたダンプトラックであって、該容器には吊上げ装置のワイヤーに着脱可能に接続され得ると共に係止解除時には前記容器の外側に垂れ下がるように接続部材が設けられ、さらに、前記容器には係合部が設けられる一方で、該係合部が係合する受け具が荷台に設けられ、これら係合部と受け具とは着脱可能且つダンプトラックの荷台を傾斜させたときにも容器が荷台から滑り落ちることが無いように形成されたものである土砂搬送用ダンプトラックが提供される。
【０００６】
本発明では、土砂等を収容した土砂搬送用容器を吊上げ装置で所定位置まで運んで、この容器をダンプトラックの荷台に吊り降ろし、容器の係合部をダンプトラックの荷台の受け具に係合させる。この容器の係合部と受け具の係合により、ダンプトラックの荷台を傾斜させたときにも、容器は荷台から滑り落ちること無く保持され、容器内の土砂等のみが排出されるため、土砂等の荷台への積み下ろしに手間がかからず、良好な搬送効率で土砂等を処理することが可能になる。
また土砂搬送用容器には、接続部材が容器外側に垂れ下がるように設けられているため、容器がダンプトラックの荷台に積載されたときにも、吊上げ装置のワイヤーを下方に降ろせば、このワイヤーと接続部材とを連結したり、連結を解除したりする作業はダンプトラックの荷台よりも低い位置で行うことが可能である。したがって、吊上げ装置のワイヤーを着脱するために、土砂搬送用ダンプトラックの荷台に作業員が昇る必要がなくなり、作業の安全性も改善される。
【発明の効果】
【０００７】
本発明の土砂搬送用の容器及びダンプトラックでは、土砂等をダンプトラックの荷台に積載したり、廃棄場で土砂等を降ろす作業を比較的容易かつ安全に行なうことができる。
【発明を実施するための最良の形態】
【０００８】
以下、図面を参照しながら、本発明の実施の形態を説明する。
図１は本発明の土砂搬送用ダンプトラック１０の側面図であり、トラック本体１１には上昇して傾斜させることができる荷台１２が設けられており、この荷台１２には土砂搬送用容器１３が着脱自在に積載されている。
【０００９】
ここで、前記土砂搬送用容器１３は、図２に示したように、一対の側壁１３ａと前壁１３ｂが底面１３ｃからほぼ直角に立ち上がり、斜面１３ｄが底面１３ｃから後方に向けて斜め上方に延びており、各側壁１３ａにはそれぞれ外側に突出する係合凸部１４が設けられ、また各側壁１３ａの上辺には取付け金具１５が溶接で一体に固定されている。そして、各取付け金具１５には連結金具１６を介して接続部材１７が連結されており、各接続部材１７は両端に環状係合部１７ａを有している。この接続部材１７の下端の環状係合部１７ａは容器１３の取付け金具１５に連結される一方で、上端の環状係合部１７ａは、ケーブルクレーン（図示せず）のワイヤー下端が連結金具等により着脱可能に連結されるものであり、接続部材１７がケーブルクレーン等で上方へ引き上げられていないときには、図１のように、容器１３の外側に垂れ下がっている。
【００１０】
また前記荷台１２の前方寄りの両側面にはブラケット１８が固定されており、このブラケット１８は、図３（ａ）〜（ｃ）の簡略側面図に示したように、板状の部材に切欠き１８ａが形成されたものであり、この切欠き１８ａには、傾斜部１８ｂと、ほぼ水平方向に延びる摺動部１８ｃと、保持部１８ｄとが設けられている。ここで、傾斜部１８ｂは、図３（ａ）に示したように、上方に向けて切欠き１８ａが開かれ、下方に向けて狭くなるような形状に形成されている。また保持部１８ｄは、土砂搬送用容器１３の係合凸部１４よりも若干大きな円周状に形成されたものであり、係合凸部１４が保持部１８ｄから脱落しないように、返し部分１８ｅが形成されている。
【００１１】
ブラケット１８の作用について更に詳細に説明すれば、図４（ａ）に示したように、土砂搬送用容器１３はケーブルクレーンのワイヤー下端１９に連結され、上方から荷台１２に吊り下ろされるものであるが、このように上方から切欠き１８ａに下ろされるときには、土砂搬送用容器１３の係合凸部１４は、図３（ａ）に示したように、傾斜部１８ｂに接触しながら下方へ導かれ、土砂搬送用容器１３の斜面１３ｄまたは底面１３ｃが荷台１２に接触して載置されると、図３（ｂ）に示したように、この摺動部１８ｃで係合凸部１４が停止する。
このとき、ケーブルクレーンのワイヤー下端１９は、その引張り力が接続部材１７へ及ばなくなるまで下方へ降ろされ、図４（ｂ）に示したように、接続部材１７がそれ自体の重さで容器１３の外側に垂れ下がる。このように接続部材１７が容器１３の外側に垂れ下がっていれば、接続部材１７をケーブルクレーンのワイヤー下端１９に連結したり、あるいは連結を解除したりする作業は、地上に立った作業員が普通の姿勢で行うことが可能になり、ダンプトラック１０の荷台１２上に昇るといった危険と手間の伴う作業を省くことができる。以上のように、ケーブルクレーンのワイヤー下端１９と接続部材１７との連結が解除されたときの土砂搬送用ダンプトラック１０の側面図が図４（ｃ）である。
次に、図５に示すように、土砂搬送用ダンプトラック１０の荷台１２を上昇させて傾斜させると、土砂搬送用容器１３の斜面１３ｄまたは底面１３ｃは、荷台１２上を後方に向けて摺動する一方で、係合凸部１４は、摺動部１８ｃを滑って保持部１８ｄまで移動し、この保持部１８ｄの返し部分１８ｅに抑えられて停止する。
【００１２】
以上のように、土砂搬送用容器１３を上方から荷台１２に吊り下ろすだけで、その係合凸部１４が荷台１２のブラケット１８の切欠き１８ａに嵌め込まれ、土砂搬送用容器１３の荷台１２への積載作業が完了し、逆に、荷台１２に積載された土砂搬送用容器１３はケーブルクレーンで上方へ引き上げるだけで、荷台１２から降ろすことが可能なため、土砂の搬送効率やケーブルクレーンの稼動効率を良好にすることができる。また土砂等を排出するために、ダンプトラック１０の荷台１２を上昇させて傾斜させたときにも、係合凸部１４がブラケット１８に係合しているため、土砂搬送用容器１３は荷台１２から滑り落ちることが無く且つ転倒することもなく保持され、施工の安全性が確保できる。
【００１３】
なお、図１乃至図５では、係合凸部１４を土砂搬送用容器１３における係合部として例示し、ブラケット１８を荷台１２における受け具として例示したが、係合部や受け具の態様はこれらに限定されるものではなく、例えば、荷台１２の前方両側部に環状の金具をそれぞれ固定する一方で、土砂搬送用容器１３において各環状金具に対応する両側部に同様な環状の金具を固定し、両端に開閉式フックを有するワイヤーロープで、環状金具どうしを連結できるように構成しても良い。このように構成すれば、ダンプトラックの荷台を傾斜させたときにも容器が荷台から滑り落ちることがないように、荷台と容器は着脱可能に係合される。つまり、これら環状金具やワイヤーロープは、係合部や受け具に相当する構成部材となるものである。
【図面の簡単な説明】
【００１４】
【図１】本発明の土砂搬送用ダンプトラックの側面図である。
【図２】本発明の土砂搬送用容器の斜視図である。
【図３】土砂搬送用容器の係合凸部を土砂搬送用ダンプトラックのブラケットに係合するときの様子を示した図である。
【図４】（ａ）〜（ｃ）は土砂搬送用容器を土砂搬送用ダンプトラックに積載する工程を示した図である。
【図５】図１の土砂搬送用ダンプトラックの荷台を上昇させたときの側面図である。
【符号の説明】
【００１５】
１０  土砂搬送用ダンプトラック
１２  荷台
１３  土砂搬送用容器
１３ａ  側壁
１３ｂ  前壁
１３ｃ  底板
１３ｄ  斜面
１４  係合凸部（係合部）
１７  接続部材
１８  ブラケット（荷台の受け具）
１８ａ  切欠き部
１８ｂ  傾斜部
１８ｃ  摺動部
１８ｄ  保持部
【図１】
2005081850.tif 000003
【図２】
2005081850.tif 000004
【図３】
2005081850.tif 000005
【図４】
2005081850.tif 000006
【図５】
2005081850.tif 000007